(57)【要約】【課題】  撮影レンズを繰出すようにして焦点距離の異なる撮影を行なうことができるようにしても携帯時に破損の危険性が極めて低い携帯機器を提供する。【解決手段】  第２の筐体１１が第１の筐体１０と重なり状態にあるときに撮影を行なうことができ、さらに第２の筐体１１が回動されて展開されたときには第２の筐体の回動に伴って撮影レンズが繰り出されて焦点距離の異なるレンズ１０Ａ〜１０Ｄでの撮影を行なうことができるようにもする。また、展開状態にある携帯機器の第２の筐体１１が重なり状態になる方向へ回動されたときにはその回動に伴って撮影レンズが沈胴する。【選択図】  図２
2005331704.tif 000002
【特許請求の範囲】
【請求項１】
第１の筐体と、該第１の筐体の表面に沿って左右いずれにも回動自在に軸支された第２の筐体とを備え、該第２の筐体が該第１の筐体の表面に重なる重なり状態と該第２の筐体が回動して該第１の筐体の表面を露呈させた展開状態とを有する携帯機器において、
撮影レンズを含む構成であって該撮影レンズを経由して入射してきた被写体光を捉えることにより撮影を行なう撮影装置を備え、
前記撮影装置が、前記撮影レンズを、前記重なり状態から前記展開状態への移行に伴って、前記第２の筐体がいずれに回動された場合であっても繰出させるとともに、前記展開状態から前記重なり状態への移行に伴って沈胴させる繰出沈胴機構を備えたことを特徴とする携帯機器。
【請求項２】
前記繰出沈胴機構は、前記撮影レンズを保持するレンズ保持枠と、該レンズ保持枠に対し光軸方向に重なる位置に設けられた、前記第２の筐体の回動に連動して回動するカムリングとを備えたものであって、前記レンズ保持枠と前記カムリングが、該カムリングの回動に伴って該レンズ保持枠を光軸方向に移動させるように相互にカム係合されたものであることを特徴とする請求項１記載の携帯機器。
【請求項３】
前記カムリングに第２の筐体の所定範囲の回動のみを伝えるように、一部の歯が切り欠かれた形状の切欠き歯車を備えたことを特徴とする請求項１記載の携帯機器。
【請求項４】
前記カムリングを、前記展開状態において、前記重なり状態における該カムリングの回動位置に向けて付勢する付勢部材を備えたことを特徴とする請求項２記載の携帯機器。
【請求項５】
前記撮影レンズを複数備え、前記繰出沈胴機構は、前記第２の筐体の回動により、これら複数の撮影レンズを連動させて繰出し、および沈胴させるものであることを特徴とする請求項１記載の携帯機器。
【発明の詳細な説明】
【技術分野】
【０００１】
第１の筐体と、その第１筐体の表面に沿って左右いずれにも回動自在に軸支された第２の筐体とを備え、その第２の筐体がその第１の筐体の表面に重なる重なり状態とその第２の筐体が回動してその第１の表面を露呈させた展開状態とを存する携帯機器に関する。
【背景技術】
【０００２】
機器の中には小型で軽くて携帯するのに便利な携帯機器がある。そのようなものの中にはデジタルカメラや携帯電話器といった携帯機器があり、最近ではこのような携帯機器に、デジタルカメラが配備されたものも多い。
【０００３】
ところで、最近、第１の筐体と、その第１筐体の表面に沿って左右いずれにも回動自在に軸支された第２の筐体とを備え、その第２の筐体がその第１の筐体の表面に重なる重なり状態とその第２の筐体が回動して該第１の表面を露呈させた展開状態とを有する、いわゆるリボルブ式（あるいは回動式と呼ばれる）の携帯電話器が発売されている（例えば非特許文献１参照）。
【０００４】
このリボルブ式の携帯電話器には撮影レンズが配備されているものもあり、今後は撮影レンズを繰り出し自在にしてＴＥＬＥ／ＷＩＤＥの二段式の切替機能や連続的な光学ズーム機能を搭載しようとする動きも出てきている。このような機能を携帯電話器に持たせるためには繰出沈胴機構が必要になってくる。
【０００５】
しかし、重なり状態にあるときには固定焦点で撮影を行なうことができ、展開状態にあるときには例えば切替スイッチを設けてその切替スイッチの操作に応じて繰出沈胴機構に撮影レンズを繰り出させて焦点距離を変更するようなことを行うと、切替スイッチの操作状況によっては撮影レンズを繰出させたまま携帯してしまって、繰り出させてある撮影レンズをどこかにぶつけて壊してしまう恐れがある。
【非特許文献１】インターネット＜ＵＲＬ：ｈｔｔｐ／／ｗｗｗ．ｄｏｃｏｍｏ−ｋａｎｓａｉ．ｃｐ．ｊｐ／／ｃｏｒｐｏｒａｔｉｏｎ／ｎｅｗｒｅｌｅａｓｅ／２００３／０００２７ｉｇｌ／
【発明の開示】
【発明が解決しようとする課題】
【０００６】
本発明は、上記事情に鑑み、撮影レンズを繰り出させるようにしても携帯時に破損の危険性が極めて低い携帯機器を提供することを目的とする。
【課題を解決するための手段】
【０００７】
上記目的を達成する本発明の携帯機器は、第１の筐体と、その第１筐体の表面に沿って左右いずれにも回動自在に軸支された第２の筐体とを備え、その第２の筐体がその第１の筐体の表面に重なる重なり状態とその第２の筐体が回動してその第１の表面を露呈させた展開状態とを有する携帯機器において、
撮影レンズを含む構成であって該撮影レンズを経由して入射してきた被写体光を捉えることにより撮影を行なう撮影装置を備え、
上記撮影装置が、上記撮影レンズを、上記重なり状態から上記展開状態への移行に伴って、上記第２の筐体がいずれに回動された場合であっても繰出させるとともに、上記展開状態から上記重なり状態への移動に伴って沈胴させる繰出沈胴機構を備えたことを特徴とする。
【０００８】
上記本発明の携帯機器によれば、上記繰出沈胴機構に上記撮影レンズの繰り出し、沈胴を行なわせるにあたって、第２の筐体がいずれかに回動されたことに伴って撮影レンズを繰り出させたり沈胴させたりする。
【０００９】
そうすると携帯時には上記重なり状態にしてから携帯することが多いので、携帯中に撮影レンズが繰出されたままになってその繰出されたままの撮影レンズがどこかにぶつかって壊れてしまう危険性が著しく低減される。
【００１０】
ここで、上記繰出沈胴機構は、上記撮影レンズを保持するレンズ保持枠と、そのレンズ保持枠に対し光軸方向に重なる位置に設けられた、上記第２の筐体の回動に連動して回動するカムリングとを備えたものであって、上記レンズ保持枠と上記カムリングが、そのカムリングの回動に伴ってそのレンズ保持枠を光軸方向に移動させるように相互にカム係合されたものであることが好ましい。
【００１１】
このように第２の筐体の回動に連動して回動するカムリングを、上記レンズ保持枠の、上記レンズ保持枠に対し光軸方向に重なる位置に設けて第２の筐体の回動に伴ってカムリングを回動させるという簡単な構造でレンズ保持枠を光軸方向に移動させることができる。
【００１２】
また、上記カムリングに上記第２の筐体の所定範囲の回動のみを伝えるように、一部の歯が切りかかれた形状の切り欠き歯車を備えたことが好ましく、さらに、上記カムリングを、上記展開状態において、上記重なり状態におけるそのカムリングの回動位置に向けて付勢する付勢部材を備えたことが望ましい。
【００１３】
例えば、上記第２の筐体が所定の角度以上回動されたときに上記切り欠き歯車の回動に伴ってカムリングが回動して上記撮影レンズが繰出されるようにすると、第２の筐体が不用意に操作されて第２の筐体が少し回動されても撮影レンズが繰出されることがなく、その不用意な操作による撮影レンズの繰り出しによって撮影レンズが壊れる率も著しく低減される。
【００１４】
さらに上記展開状態において、上記付勢部材により上記カムリングがそのカムリングの重なり状態における回動位置に向けて付勢されていると、上記切り欠き歯車がカムリングを回動させることのない位置まで回動されたときに、上記レンズ保持枠が付勢部材の付勢力により上記重なり状態における回動位置に自動的に復帰する。その結果、第２の筐体が所定の範囲以上回動されないと撮影レンズが繰り出されないこととは逆に展開状態にある第２の筐体が少し回動されれば撮影レンズが沈胴するようになる。また、上記展開状態から上記重なり状態へ移行させるためにわざわざ復帰機構を付加することもないので簡単かつ使い勝手の良い繰出沈胴機構が実現される。このように簡単な構造の繰出沈胴機構が実現されると、この携帯機器の低廉化を図ることができる。
【００１５】
さらに上記撮影レンズを複数備え、上記繰出沈胴機構は、上記第２の筐体の回動により、これら複数の撮影レンズを連動させて繰出し、および沈胴させるものであっても良い。
【００１６】
そうすると、２眼式のように一方の撮影レンズをファインダ用、他方の撮影レンズを撮影用としたり、２眼式以上の多眼式にして例えばパノラマ撮影機能を付加したり、立体撮影機能を付加したりすることもできる。
【発明の効果】
【００１７】
以上、説明したように、撮影レンズを繰出すようにして焦点距離の変更を行なうことができるようにしても携帯時に破損の危険性が極めて低い携帯機器が実現される。
【発明を実施するための最良の形態】
【００１８】
以下図面を参照して本発明の実施の形態を説明する。
【００１９】
本発明の実施形態である携帯機器の一例として携帯電話器１を例に掲げて以下説明する。
【００２０】
図１、図２は、リボルブ式の携帯電話器１の外観を示す図である。
【００２１】
図１（ａ）には、重なり状態にあるときの携帯電話器１を斜め上方から見た図が、図１（ｂ）には図１（ａ）に示す第１の筐体１０の裏面を示す図が、また図１（ｃ）には図１（ａ）の携帯電話器１を側方から見た図がそれぞれ示されている。図２（ａ）には、展開状態にあるときの携帯電話器１を斜め上方から見た図が、図２（ｂ）には図２（ａ）に示す第１の筐体１０の裏面を示す図が、また図２（ｃ）には図２（ａ）の携帯電話器を側方から見た図がそれぞれ示されている。
【００２２】
この携帯電話器１は、第１の筐体１０と、その第１筐体１０の表面に沿って左右いずれにも回動自在に軸支された第２の筐体１１とを備え、その第２の筐体１１がその第１の筐体１０の表面に重なる重なり状態（図１参照）とその第２の筐体１１が回動してその第１の表面を露呈させた展開状態（図２参照）とを有するものである。この携帯電話器１は撮影レンズを含む構成であってその撮影レンズを経由して入射してきた被写体光を捉えることにより撮影を行なう撮影装置を備えたものでもある。この携帯電話器１の撮影装置を使用するときには第２の筐体１０の表面に設けられた表示パネル１１０がファインダとして用いられてその表示パネル上に撮影レンズが向けられた方向の被写体が表示される。
【００２３】
図１と図２にはその撮影装置として４つの撮影レンズ１０Ａ〜１０Ｄを備える多眼式の撮影装置がこの携帯電話器に搭載された例が示されている。
【００２４】
この携帯電話器１に搭載された撮影装置は、図１に示す重なり状態であっても電源が投入されれば撮影を行なうことができ、さらにその重なり状態にあった第２の筐体１１１が第１の筐体１０に対して回動され撮影レンズ１０Ａ〜１０Ｄが繰出されると、異なる焦点距離での撮影を行なうことができる（図２参照）。
【００２５】
ここで、その撮影レンズ１０Ａ〜１０Ｄの繰出沈胴機構を、図３，図４を参照して説明する。
【００２６】
図３はこの携帯電話器が重なり状態にあるときの繰出沈胴機構の状態を示す図であり、図４はこの携帯電話器が展開状態になったときの繰出沈胴機構の状態を示す図である。
【００２７】
図３（ａ）には、この携帯電話器１が重なり状態にあるときに携帯電話器１の第１の筐体１０の内部に配設されている繰出沈胴機構を上方から見た平面図が、図３（ｂ）には、その図３（ａ）に示す繰出沈胴機構を横方向に切断してその切断した面を側方から見た図が、図５は図３（ａ）に示す繰出沈胴機構を縦方向に切断してその切断した面を側方から見た図がそれぞれ示されている。また図４（ａ）には、この携帯電話器１が図２に示す展開状態にあるときに携帯電話器１の第１の筐体１０の内部に配設されている繰出沈胴機構を上方から見た平面図が、図４（ｂ）には図４（ａ）に示す繰出沈胴機構を縦方向に切断してその切断した面を側方から見た図がそれぞれ示されている。また、図５は、図３（ａ）の中央に位置する絞り駆動部１３０と各絞り１３１Ａ〜１３１Ｄの関係を示す図であって、図４（ａ）に示す撮影レンズ１０Ａと撮影レンズ１０Ｄとの双方を斜めに横切る線で切断してその切断した面を側方から見た図である。
【００２８】
図１〜図２で説明したように、第２の筐体１１は第１筐体１０の表面に沿って左右いずれにも回動自在に回動軸１１ａによって軸支されており、携帯時にはその第２の筐体１１が第１の筐体１０の表面に重なる重なり状態（図１参照）になって携帯される。その重なり状態から第２の筐体１１が回動されて展開状態（図２参照）まで展開されることによって携帯電話器として用いられたり、異なる焦点距離での撮影を行うことができる撮影装置として用いられたりする。
【００２９】
この第２の筐体１１の回動に伴って撮影レンズ１０Ａ〜１０Ｄを繰り出させたり、沈胴させたりする繰出沈胴機構が図３〜図５に示されている。
【００３０】
まず図３〜図５を参照してこの携帯電話器の撮影装置が備える沈胴繰出機構の構成を説明する。
【００３１】
図３〜図５に示す繰出沈胴機構は、撮影レンズ１０Ａ，１０Ｂ，１０Ｃ，１０Ｄを保持するレンズ保持枠１０４Ａ，１０４Ｂ，１０４Ｃ，１０４Ｄと、それらのレンズ保持枠１０４Ａ，１０４Ｂ，１０４Ｃ，１０４Ｄに対し光軸方向に重なる位置に設けられた、上記第２の筐体１１の回動に連動して回動するカムリング１０３Ａ，１０３Ｂ，１０３Ｃ，１０３Ｄとを備えている。レンズ保持枠それぞれ１０４Ａ，１０４Ｂ，１０４Ｃ，１０４Ｄとカムリング１０３Ａ，１０３Ｂ，１０３Ｃ，１０３Ｄそれぞれとが、カムリングの回動に伴ってレンズ保持枠１０４Ａ，１０４Ｂ，１０４Ｃ，１０４Ｄを光軸方向に移動させるように相互にカム係合されている。図３（ｂ）にはレンズ保持枠１０４Ｃ側にカムピン１０４１Ｃが設けられカムリング１０３Ｃ側にカム溝１０３１Ｃが設けられて、そのレンズ保持枠のカムピン１０４１Ｃとそのカムリングのカム溝１０３１Ｃとが相互に係合されている（図３（ｂ）参照）状態が示されている。この図３（ｂ）に示されているレンズ保持枠１０４Ｃのほか、３つのレンズ保持枠１０４Ａ，１０４Ｂ，１０４Ｄそれぞれの重なる位置にカムリング１０３Ａ，１０３Ｂ，１０３Ｄがそれぞれ設けられ、それらがすべて相互にカム係合されている。このレンズ保持枠とカムリングとのカム係合部の構造については後述する。
【００３２】
また本実施形態においては、上記４つのカムリング１０３Ａ，１０３Ｂ，１０３Ｃ，１０３Ｄを回動させるにあたって、第２の筐体１１が所定の範囲以上つまり所定の角度以上回動されたときに、４つのカムリングのうちの一つのカムリング１０３Ｃが回動されるように第２の筐体１１の回動軸１１ａの外周に切り欠きギア１１１ａが設けられている。この切り欠きギア１１１ａが第１のギア１０１と噛合するとカムリング１０３Ｃが回動してそのカムリング１０３Ｃが回動すると連結ギア１０５１〜１０５３によって残りの各カムリング１０３Ａ，１０３Ｂ，１０３Ｄすべてに伝えられて各カムリング１０３Ａ，１０３Ｂ，１０３Ｃ，１０３Ｄが回動する。このようにしておくと、４つの撮影レンズ１０Ａ，１０Ｂ，１０Ｃ，１０Ｄを第２の筐体１０の回動に連動して繰り出させたり、沈胴させたりすることができる。
【００３３】
この繰出沈胴機構で実現される動作については後述するが、図３に示す状態にあるときに第２の筐体１１がユーザによって回動されるとその第２の筐体１１の回動に伴って回動軸１１ａが回動して回動軸１１ａの外周に設けられた切り欠きギア１１１ａが所定の角度以上回動すると、その第１のギア１０１と噛み合って第１のギアが回動して、その第１のギアと噛み合っている第２のギア１０２が回動してカムリング１０３Ｃが回動するようになっている。
【００３４】
そのカムリング１０３Ｃの外周に外方へ向けて突出部１０３０が設けられてその突出部１０３０を挟み込むようにして付勢部材ここでは捩じりバネ１２０が配設されている。図図３（ａ）、（ｂ）に示すように捩じりバネ１２０が巻回されている軸心とその捩じりバネ１２０を支持する支持部１２１とカムリング１０３Ｃの突出部１０３０とは並んで配設されていてこの捩じりバネ１２０が重なり状態にあるときには特に作用しないということがこれらの図からも分かる。この重なり状態から図４に示すように第２の筐体１１が回動されて展開状態になったときに、突出部に捩じりバネが押し広げられることによってその捩じりバネに付勢力が蓄えられる。そうすると、展開状態（図４）から重なり状態（図３）への移行に伴ってカムリングの突出部１０３０がその捩じりバネにより付勢されるようになる。なお、この携帯電話器に配備されている撮影装置を用いると、重なり状態にあっても撮影を行なうことができるので、そのことを示すため、展開状態を示す図４とともに重なり状態を示す図３にも撮影レンズの後方にある撮像素子１０７Ａ，１０７Ｃ，１０７Ｄが図示されている。また、図５には撮影レンズの後方に位置する絞りの切替部１３０も図示されている。撮影時にこの切替部１３０によって絞りが切り替えられ露出が調節されて適切な光量が撮像素子に与えられる。
【００３５】
このような構成の繰出沈胴機構の動作を詳細に説明する。
【００３６】
図３（ａ）〜（ｃ）に示す重なり状態にあるときに図２に示すように第２の筐体１１が回動されると、第２の筐体の回動軸１１ａが回動してその回動軸の外周の一部に設けられている切り欠きギア１１１ａが回動する。その回動軸１１ａが所定範囲以上、つまり所定角度以上回動されると、切り欠きギア１１１ａが第１のギア１０１と噛み合い、その第１のギア１０１の回動に伴って第２のギア１０２が回動して、さらにその第２のギア１０２の回動に伴ってカムリング１０３Ｃが回動する。そうすると図４に示すようにカムリング１０３Ｃの突出部１０３１が捩じりバネ１２０を押し拡げるようにして回動されてカムリング１０３Ｃとカム係合しているレンズ保持枠１０４Ｃが光軸方向に移動する。また図３に示すカムリング１０３Ｃが回動されると、そのカムリング１０３Ｃの回動がギア１０５１，１０５３によって各カムリング１０３Ａ，１０３Ｄに、さらにギア１０５２によってカムリング１０３Ｂにも伝えられる。このようにしてカムリング１０３Ｂの回動が各カムリング１０３Ａ〜１０３Ｄに伝えられてすべてのカムリングが回動されると、各カムリング１０３Ａ〜１０３Ｄそれぞれとカム係合しているレンズ保持枠１０４Ａ〜１０４Ｄそれぞれが光軸方向に移動する。そうすると４つの撮影レンズ１０Ａ〜１０Ｄがそれぞれカムリングの回動に伴って光軸方向に移動してこの携帯電話器から撮影レンズが繰出される。この撮影レンズの繰出にあっては、例えば撮影レンズごとに繰出し量を変えて各レンズごとに異なる焦点距離での撮影を行うことができるようにすることも、隣接する撮影レンズそれぞれの画角を繋ぐように撮影レンズそれぞれを繰り出させてパノラマ撮影を行うことができるようにすることもできる。またこの展開状態にあるときに、通常の固定焦点の撮影を行ないたくなったとき、あるいはこの携帯電話器を携帯してどこかへ出かけたくなったときには第２の筐体１１を図１に示す重なり状態に戻せばよい。
【００３７】
このように４つのカムリング１０３Ａ〜１０３Ｄの回動に伴うレンズ保持枠１０４Ａ〜１０４Ｄそれぞれの光軸方向の移動に応じて４つのレンズそれぞれが繰出されたり、沈胴したりする繰出沈胴機構が簡単な構造で構成される。
【００３８】
ここで本実施形態の特徴部分である切り欠きギア１１１ａと付勢部材である捩じりバネ１２０の作用を説明する。
【００３９】
まず切り欠きギア１１１ａの作用を説明する。
【００４０】
本実施形態では、第２の筐体１１が回動されたときにすぐにカムリング１０３Ｃが回動してしまうと、ちょっとした第２の筐体１１の回動に敏感に反応してレンズが繰出されてしまう恐れがあるので、カムリング１０３Ｃに第２の筐体１１の所定範囲の回動のみを伝えるように、一部の歯が切り欠かれた形状の切り欠き歯車１１１ａを回動軸１１ａの外周に設けている。このようにしておくと、第２の筐体１１がちょっとずれてしまったようなときには撮影レンズ１０Ａ〜１０Ｄが繰出されずに済み、第２の筐体１１が左右いずれかの方向に所定範囲１８０度近く回動されたときにのみ第２の筐体１１の回動に連動して撮影レンズ１０Ａ〜１０Ｄが繰出されるようになる。そうすると、例えばユーザが誤って第２の筐体１１に触れその触れたことによって第２の筐体がほんの少し回動されてしまって撮影レンズが誤って繰出されてしまうことなども防止され、携帯中に誤って撮影レンズが繰出されてどこかにぶつかって壊れてしまうといったことが完全に防止される。さらに、展開状態から第２の筐体が繰り出された後、携帯するときには第２の筐体が重なり状態になる方向へ少々（繰り出すのに必要なストローク分、逆の方向へ）回動されると、撮影レンズが沈胴するようになるので、この携帯電話器を携帯しようとするときには繰り出された撮影レンズが沈胴して撮影レンズが繰り出されたままになって携帯されるという率が著しく低減される。
【００４１】
次に本発明にいう付勢部材にあたるバネ部材１２０の作用を説明する。
【００４２】
この携帯電話器が携帯に便利なものであることことを考えると、繰出沈胴機構が簡略な構造のものであって小型のものであることが望まれる。そこで本実施形態では、展開状態にあるときに重なり状態におけるそのカムリング１０３Ｃの回動位置に向けて付勢する付勢部材ここでは捩りバネ１２０を設けて、展開状態にある間はその捩じりバネ１２０に付勢力を蓄わえさせておき、第２の筐体１１が重なり状態になる方向に回動されて切り欠きギア１１１ａとギア１０１との噛合がなくなったときにその捩じりバネ１２０によってカムリング１０３Ｃを逆の方向へ回動させるようにしてある。このような構成にすると、わざわざカムリング１０３Ｃを逆方向に回動させる機構を設けることなく、簡略な構造の繰出沈胴機構が実現される。
【００４３】
このような簡単な構成で繰出沈胴機構が構成されると、この携帯電話器の第１の筐体１０および第２の筐体１１をコンパクトにすることができる。
【００４４】
最後に各レンズ保持枠の各カムピンと各レンズ保持枠に重なる位置に配設された各カムリングの各カム溝とが相互にカム係合されている状態を、図６を参照して説明する。
【００４５】
図６は、レンズ保持枠１０４Ａ（ｏｒ  １０４Ｂ  ｏｒ  １０４Ｃ  ｏｒ  １０４Ｄ）のカムピン１０４１Ａ（ｏｒ  １０４１Ｂ  ｏｒ  １０４１Ｃ  ｏｒ  １０４１Ｄ）とカムリング１０３Ａ（ｏｒ  １０３Ｂ  ｏｒ  １０３Ｃ  ｏｒ  １０３Ｄ）のカム溝１０３１Ａ（ｏｒ  １０３１Ｂ  ｏｒ  １０３１Ｃ  ｏｒ  １０３１Ｄ）とのカム係合の状態を示す図である。
【００４６】
図３を参照しての説明を行っている中でレンズ保持枠１０４Ｃのカムピン１０４１Ｃとカムリング１０３のカム溝１０３１Ｃとの係わりを少し説明したが、図３ではその構造が少々見づらいので、図６（ａ）にレンズ保持枠１０４Ａ（ｏｒ  １０４Ｂ  ｏｒ  １０４Ｃ  ｏｒ  １０４Ｄ）のカムピン１０４１Ａ（ｏｒ  １０４Ｂ  ｏｒ  １０４Ｃ  ｏｒ  １０４Ｄ）とカムリング１０３Ａ（ｏｒ  １０３Ｂ  ｏｒ  １０３Ｃ  ｏｒ  １０３Ｄ）のカム溝１０３１Ａ（ｏｒ  １０３１Ｂ  ｏｒ  １０３１Ｃ  ｏｒ  １０３１Ｄ）とのカム係合の状態を模式的に示してある。さらに実際にはレンズ保持枠のカムピンもカムリングのカム溝もそれぞれ３箇所づつ設けられているので、それらを示すために図６（ｂ）、図６（ｃ）には、３箇所のカム係合状態が展開図に示されている。
【００４７】
まず、図６（ａ）を参照してレンズ保持枠とカムリングとのカム係合の状態を説明する。
【００４８】
図６（ａ）に示すようにレンズ保持枠１０４Ａ（ｏｒ  １０４Ｂ  ｏｒ  １０４Ｃ  ｏｒ  １０４Ｄ）に重なる位置にカムリング１０３Ａ（ｏｒ  １０３Ｂ  ｏｒ  １０３Ｃ  ｏｒ  １０３Ｄ）が配置されている。このカムリング１０３Ａ（ｏｒ  １０３Ｂ  ｏｒ  １０３Ｃ  ｏｒ  １０３Ｄ）は回動自在であって、前述した切り欠き歯車と第１のギアとの噛み合って第１のギアが回動してその第１のギアの回動に伴って第２のギアが回動したときにこのカムリング１０３Ａ（ｏｒ  １０３Ｂ  ｏｒ  １０３Ｃ  ｏｒ  １０３Ｄ）が回動する。この回動自在なカムリング１０３Ａ（ｏｒ  １０３Ｂ  ｏｒ  １０３Ｃ  ｏｒ  １０３Ｄ）と重なる位置にレンズ保持枠１０４Ａ（ｏｒ  １０４Ｂ  ｏｒ  １０４Ｃ  ｏｒ  １０４Ｄ）が配設されている。
【００４９】
そのカムリング１０３Ａ（ｏｒ  １０３Ｂ  ｏｒ  １０３Ｃ  ｏｒ  １０３Ｄ）にはカム溝１０３１Ａ（ｏｒ  １０３１Ｂ  ｏｒ  １０３１Ｃ  ｏｒ  １０３１Ｄ）が設けられ、そのカム溝１０３１Ａ（ｏｒ  １０３１Ｂ  ｏｒ  １０３１Ｃ  ｏｒ  １０３１Ｄ）とレンズ保持枠１０４Ａ（ｏｒ  １０４Ｂ  ｏｒ  １０４Ｃ  ｏｒ  １０４Ｄ）のカムピン１０４１Ａ（ｏｒ  １０４１Ｂ  ｏｒ  １０４１Ｃ  ｏｒ  １０４１Ｄ）とが相互にカム係合されている。さらに各レンズ保持枠のカムピンとカムリングのカム溝とをしっかりとカム係合させるためにレンズ保持枠をカムリング側に付勢するバネ部材１０６Ａ（ｏｒ１０６Ｂ  ｏｒ  １０６Ｃ  ｏｒ  １０６Ｄ）がレンズ保持枠の端部と第２の筐体との間に掛けられている。
【００５０】
また、図３（ａ）に示す上側の２つの撮影レンズ１０Ａ，１０Ｂの繰出量と図３（ａ）に示す下側の二つの撮影レンズ１０Ｃ，１０Ｄの繰出量とを変えるために２つの撮影レンズに対応するカムリング１０３Ｂ，１０３Ｄのカム溝１０３１Ｂ，１０３１Ｄの深さと２つの撮影レンズに対応するカムリング１０３Ａ，１０３Ｃのカム溝１０３１Ａ，１０３１Ｃの深さが変更された例が示されている。これらのカム溝１０３１Ａ〜１０３１Ｄは左右どちらの方向に回動されても同じようにレンズ保持枠１０３Ａ〜１０４Ｄを移動させることができるように左右対称な傾斜部が設けられている。
【００５１】
このように撮影レンズごとに光軸方向に移動するストロークを変えるようにカム溝の深さを調節しておくと、例えば２つの撮影レンズ１０Ｂ，１０Ｄの繰出し量をＴＥＬＥに対応させ、２つの撮影レンズ１０Ａ，１０Ｃの繰出し量を例えばＷＩＤＥに対応させるようなことを行って、さらにこれらを切り替えて使用することができるような電気配線さえを行なって置けば、この携帯電話器が展開状態にあるときに携帯電話器が備えるキーなどを用いてＴＥＬＥ／ＷＩＤＥの切り替えを簡単に行うことができるようになる。
【００５２】
また、左右対称の傾斜部が形成され左右いずれの方向に第２の筐体が回動されてもレンズ保持枠が同じように移動するように構成されると、ユーザがこの携帯電話器を使用しようとして第２の筐体がどちらの方向に回動されても撮影レンズが同じように繰出されるのでユーザにとっては非常に使い勝手の良い携帯電話器が実現される。
【００５３】
以上説明したように、撮影レンズを繰出すようにして焦点距離の変更を行なうことができるようにしても携帯時に破損の危険性が極めて低い携帯機器が実現される。また、本実施形態では、所定の回動範囲まで回動されたときに複数の撮影レンズ各々が異なる長さのストローク（ＴＥＬＥとＷＩＤＥに対応）でそれぞれ繰出される構成を示したが、例えばカム溝の傾斜部を利用すれば連続的にレンズ保持枠を移動させることも可能となってこの携帯機器が有する撮影装置にズーム機能を持たせることもできる。
【図面の簡単な説明】
【００５４】
【図１】リボルブ式の携帯電話器１の外観を示す図であって、そのリボルブ式の携帯電話器が重なり状態にあるときの外観を示す図である。
【図２】リボルブ式の携帯電話器１の外観を示す図であって、そのリボルブ式の携帯電話器が展開状態にあるときの外観を示す図である。
【図３】この携帯電話器１が重なり状態にあるときに携帯電話器内部に配設されている繰出沈胴機構の状態を示す図である。
【図４】この携帯電話器１が展開状態にあるときに携帯電話器内部に配設されている繰出沈胴機構の状態を示す図である。
【図５】絞りの切替部を示す図である。
【図６】レンズ保持枠とカムリングがカム係合されている状態を示す展開図である。
【符号の説明】
【００５５】
１    携帯電話器
１０    第１の筐体
１０Ａ〜１０Ｄ    撮影レンズ
１０１    第１のギア
１０２    第２のギア
１０３Ａ〜１０３Ｄ    カムリング
１０３０    突出部
１０３１Ａ〜１０３１Ｄ    カム溝
１０３２Ａ〜１０３２Ｄ    カム溝
１０３３Ａ〜１０３３Ｄ    カム溝
１０４Ａ〜１０４Ｄ    レンズ保持枠
１０４１Ａ〜１０４１Ｄ    カムピン
１０４２Ａ〜１０４２Ｄ    カムピン
１０４３Ａ〜１０４３Ｄ    カムピン
１０５１〜１０５３    連結ギア
１０６Ａ〜１０６Ｄ    バネ
１０７Ａ〜１０７Ｄ  撮像素子
１１    第２の筐体
１１ａ    回動軸
１１０    表示画面
１２０    捩じりバネ
【図１】
2005331704.tif 000003
【図２】
2005331704.tif 000004
【図３】
2005331704.tif 000005
【図４】
2005331704.tif 000006
【図５】
2005331704.tif 000007
【図６】
2005331704.tif 000008